(57)【要約】【課題】  車上あらし等による盗難を有効に防止する。【解決手段】  異常検出センサ１７０が、車内に配設された機器に対して盗難に結びつく可能性がある特定操作を検出し、セキュリティ制御部２２２に報告する。この報告を受けたセキュリティ制御部２２２は、当該特定操作が許容状況以外の状況で検出されたか否かを判定する。この判定の結果が肯定的であった場合には、セキュリティ制御部２２２は、音出力制御部２１０へ警報音出力指令を送る、そして、警報音出力指令を受けた音出力制御部２１０は、耳障りで人に不快感を与える測定用音源データに対応する音を、最大音量で、音出力ユニット１３０から出力させる。【選択図】  図３
2008046868.tif 000002
【特許請求の範囲】
【請求項１】
所定空間における音場を測定するための測定用音源データを記憶する測定用音源データ記憶手段と；
前記所定空間へ向けて音を出力する音出力手段と；
前記所定空間内及び前記所定空間の周囲の少なくとも一方に配設された機器に対する特定操作を検出する検出手段と；
前記所定空間における音場の測定時に前記測定用音源データに対応する特定音を前記音出力手段から出力させるとともに、前記検出手段により検出された前記機器に対する特定操作が異常操作であると判断された時に、前記特定音を警報音として前記音出力手段から出力させる制御手段と；を備えることを特徴とする音響装置。
【請求項２】
前記検出手段により異常操作が検出された場合には、前記制御手段は、最大音量で継続的に、前記警報音を前記音出力手段から出力させる、ことを特徴とする請求項１に記載の音響装置。
【請求項３】
前記制御手段は、予め定められた許容状況以外の状況で前記特定操作が前記検出手段により検出された場合に、前記異常操作がなされたと判断する、ことを特徴とする請求項１又は２に記載の音響装置。
【請求項４】
前記測定用音源データには、ノイズ音源データ及び擬似ノイズ音源データの少なくとも一方が含まれる、ことを特徴とする請求項１〜３のいずれか一項に記載の音響装置。
【請求項５】
操作情報が入力される操作入力手段と；
正規利用者の識別情報を記憶する識別情報記憶手段と；を更に備え、
前記警報音の前記音出力手段からの出力中に、前記操作入力手段に前記識別情報が入力された場合には、前記制御手段は、前記警報音の前記音出力手段からの出力を停止させる、ことを特徴とする請求項１〜４のいずれか一項に記載の音響装置。
【請求項６】
外部からの電力の供給が途絶えた場合に、動作電力を供給する補助電源手段を更に備える、ことを特徴する請求項１〜５のいずれか一項に記載の音響装置。
【請求項７】
移動体に搭載されるとともに、前記所定空間が前記移動体の内部空間である、ことを特徴とする請求項１〜６のいずれか一項に記載の音響装置。
【請求項８】
所定空間内及び前記所定空間の周囲の少なくとも一方に配設された機器に対する特定操作を検出する検出工程と；
前記特定操作が、予め定められた許容状況以外の状況で検出されたか否かを判定する判定工程と；
前記判定工程における判定の結果が肯定的であった場合に、前記所定空間における音場を測定するための測定用音源データに対応する音を、前記所定空間へ向けて音を出力する音出力手段から警報音として出力させる警報音出力工程と；を備えることを特徴とする盗難防止方法。
【発明の詳細な説明】
【技術分野】
【０００１】
本発明は、音響装置及び当該音響装置を利用した盗難防止方法に関する。
【背景技術】
【０００２】
従来から、車両等の移動体には様々な電装品が搭載され、利用者の利用に供されている。こうした電装品の一つとして、車に搭載される音響装置であるカーオーディオ装置がある。
【０００３】
かかるカーオーディオ装置については高機能化及び高性能化が進展しており、近年においては、車内空間における音場を測定し、車内空間における音場を補正する技術が提案されている（特許文献１参照）。こうした音場の補正に際しては、カーオーディオ装置が専用の音源データを有しており、音場測定時には、スピーカ等の音出力手段から、当該専用の音源データに対応した音を出力する。そして、車内の所定位置に配設されたマイクロフォン等の集音手段によって、音を集音する。引き続き、集音された音を解析する。この解析の結果として、現時点における車内の音場が測定される。
【０００４】
車内の音場測定が終了すると、当該カーオーディオ装置においては、音場測定の結果に基づいて、音出力手段から出力される音の周波数特性及び音量を補正する。この結果、音車内の音響特性が最適化されるようになっている。
【０００５】
以上のような音場測定機能を有するカーオーディオ装置は高価なものであり、車上あらしによる盗難の対象となる可能性がある。このため、カーオーディオ装置の盗難を防止する必要がある。かかる盗難を防止する技術としては、車両のドアや窓に警報音響の発報スイッチとしてのドアスイッチを設け、施錠された状態でドアや窓が開かれたことが検出された場合には、クラクションを鳴動させる技術が提案されている（特許文献２参照：以下、[従来例]と呼ぶ）。
【０００６】
【特許文献１】特開２００５−１２７８４号公報
【特許文献２】実用新案登録第３０８５１５１号公報
【発明の開示】
【発明が解決しようとする課題】
【０００７】
上述した従来例の技術は、音場測定可能なカーステレオ装置の搭載の有無にかかわらず、車両自体の盗難や、車上あらしを防止するための技術である。ところで、音場測定可能なカーステレオ装置における音場測定用の音源データに対応する音は、広い周波数範囲で均等に近いパワー分布を有する音であり、音量が大きくなると、人にとっては非常に耳障りであり不快な音である。
【０００８】
このため、音場測定用の音源データに対応する音を、大きな音量でスピーカから出力すると、有効な警報音となり得るものである。こうした機能を有するカーステレオ装置等の音響装置を有効利用して、当該音響装置自体又は当該音響装置を搭載した車両の盗難を防止することが、本発明が解決すべき課題の一つとして挙げられる。
【０００９】
本発明は、上記の事情を鑑みてなされたものであり、車上あらし等による盗難を有効に防止することができる音響装置及び盗難防止方法を提供することを目的とする。
【課題を解決するための手段】
【００１０】
請求項１に記載の発明は、所定空間における音場を測定するための測定用音源データを記憶する測定用音源データ記憶手段と；前記所定空間へ向けて音を出力する音出力手段と；前記所定空間内及び前記所定空間の周囲の少なくとも一方に配設された機器に対する特定操作を検出する検出手段と；前記所定空間における音場の測定時に前記測定用音源データに対応する特定音を前記音出力手段から出力させるとともに、前記検出手段により検出された前記機器に対する特定操作が異常操作であると判断された時に、前記特定音を警報音として前記音出力手段から出力させる制御手段と；を備えることを特徴とする音響装置である。
【００１１】
請求項８に記載の発明は、所定空間内及び前記所定空間の周囲の少なくとも一方に配設された機器に対する特定操作を検出する検出工程と；前記特定操作が、予め定められた許容状況以外の状況で検出されたか否かを判定する判定工程と；前記判定工程における判定の結果が肯定的であった場合に、前記所定空間における音場を測定するための測定用音源データに対応する音を、前記所定空間へ向けて音を出力する音出力手段から警報音として出力させる警報音出力工程と；を備えることを特徴とする盗難防止方法である。
【発明を実施するための最良の形態】
【００１２】
以下、本発明の一実施形態を、図１〜図５を参照して説明する。なお、以下の説明において、同一又は同等の要素には同一の符号を付し、重複する説明を省略する。
【００１３】
［構成］
図１には、一実施形態に係る音響装置１００の構成がブロック図にて示されている。この音響装置１００は、車両に搭載される音響装置であり、図１に示されるように、音響装置１００は、機能動作部１８０と、電源部１９０とを備えている。
【００１４】
電源部１９０は、機能動作部１８０へ、所定電圧の動作電力を供給する。この電源部１９０は、車両の全体に動作電力を供給する不図示の主バッテリ電源からと接続され、機能動作部１８０の動作電圧を発生する。また、電源部１９０は、車両のメインキーの操作によるアクセサリ（以下、「ＡＣＣ」とも記す）オン状態と、アクセサリオフ状態とを検出し、検出結果をＡＣＣオン／オフ情報として動作機能部１８０（より詳しくは、後述する制御ユニット１１０）へ報告するようになっている。
【００１５】
電源部１９０は、補助電源手段としての補助バッテリ１９１を備えている。この補助バッテリ１９１は、充電可能なバッテリであり、通常は上記の主バッテリ電源から充電パワーの供給を受けている。そして、電源部１９０への主バッテリ電源からの電力供給が停止すると、補助バッテリ１９１が、主バッテリ電源に替わって、機能動作部１８０の動作電力源となるようになっている。
【００１６】
上記の機能動作部１８０は、制御手段としての制御ユニット１１０と、記憶装置１２０と、識別情報記憶手段としての不揮発性記憶ユニット１２５とを備えている。また、機能動作部１８０は、音出力手段としての音出力ユニット１３０と、集音ユニット１４０と、表示ユニット１５０と、操作入力手段としての操作入力ユニット１６０とを備えている。さらに、機能動作部１８０は、検出手段としての異常検出センサ１７０を備えている。
【００１７】
なお、機能動作部１８０における制御ユニット１１０以外の要素１２０〜１７０は、制御ユニット１１０に接続されている。
【００１８】
記憶装置１２０は、固定ディスク装置、ＤＶＤ（Digital Versatile Disk）が挿入されたＤＶＤドライブ装置等から構成されている。この記憶装置１２０には、楽曲等が圧縮された形式の音データ（以下、「音コンテンツデータ」と呼ぶ）１２１をはじめとして、音響装置１００の動作のために必要な様々なデータが記憶される。制御ユニット１１０は、記憶装置１２０の記憶領域にアクセス可能であり、当該記憶領域へデータを書き込んだり、当該記憶領域からのデータを読み取ったりすることができるようになっている。
【００１９】
不揮発性記憶ユニット１２５は、フラッシュＲＯＭ（Read Only Memory）等の書込み可能な不揮発性記憶素子から構成されている。この不揮発性記憶ユニット１２５は、音響装置１００の正規利用者、すなわち、車両の正規利用者を識別するためのパスワード等の識別情報１２６（図２参照）が記憶される。制御ユニット１１０は、不揮発性記憶ユニット１２５の記憶領域にアクセス可能であり、当該記憶領域へデータを書き込んだり、当該記憶領域からのデータを読み取ったりすることができるようになっている。
【００２０】
音出力ユニット１３０は、（ｉ）制御ユニット１１０から受信したデジタル音声データをアナログ信号に変換するＤＡ変換器（Digital to Analog Converter）と、（ii）当該ＤＡ変換器から出力されたアナログ信号を増幅する増幅器と、（iii）増幅されたアナログ信号を音声に変換するスピーカとを備えて構成されている。なお、本実施形態では、スピーカは複数であり、車内の所定位置に配設されている。
【００２１】
この音出力ユニット１３０は、制御ユニット１１０による制御のもとで、案内用音声、音楽、音場測定音等を出力する。なお、制御ユニット１１０は、当該増幅器の増幅率を設定できるようになっている。
【００２２】
集音ユニット１４０は、（ｉ）周囲の音を収集して電気的なアナログ音声信号とするマイクロフォン、（ii）マイクロフォンから出力されたアナログ音声信号を増幅する増幅器、（iii）増幅されたアナログ音声信号をデジタル音声信号に変換するＡＤ変換器（Analog to Digital Converter）とを備えて構成されている。ここで、マイクロフォンは、車内空間における少なくとも１つの所定位置に配置されている。
【００２３】
この集音ユニット１４０により得られたデジタル音声信号は、制御ユニット１１０へ送られる。なお、音出力ユニット１３０の場合と同様に、制御ユニット１１０は、当該増幅器の増幅率を設定できるようになっている。
【００２４】
表示ユニット１５０は、（ｉ）液晶表示パネル、有機ＥＬ（Electro Luminescence）パネル、ＰＤＰ（Plasma Display Panel）等の表示デバイスと、（ii）制御ユニット１１０から送出された表示制御データに基づいて、表示ユニット１５０全体の制御を行うグラフィックレンダラ等の表示コントローラと、（iii）表示画像データを記憶する表示画像メモリ等を備えて構成されている。この表示ユニット１５０は、制御ユニット１１０による制御のもとで、操作ガイダンス情報等を表示する。
【００２５】
操作入力ユニット１６０は、音響装置１００の本体部に設けられたキー部、あるいはキー部を備えるリモート入力装置等により構成される。ここで、本体部に設けられたキー部としては、表示ユニット１５０の表示デバイスに設けられたタッチパネルを用いることができる。なお、キー部を有する構成に代えて、音声入力する構成を採用することもできる。
【００２６】
この操作入力ユニット１６０を利用者が操作することにより、音響装置１００の動作内容の設定が行われる。例えば、再生楽曲の設定、楽曲の検索設定、音場の自動補正指令、盗難防止のためのセキュリティモードの設定等を、利用者が操作入力ユニット１６０を利用して行う。こうした入力内容は、操作入力ユニット１６０から制御ユニット１１０へ送られる。
【００２７】
異常検出センサ１７０は、車両に搭載された音響装置１００の不図示の化粧板が取り外されたこと等、車上あらしに結びつくことが推定される車両の設備に対する操作である予め定められた特定操作がなされたことを検出する。異常検出センサ１７０による検出結果は、制御ユニット１１０へ送られる。
【００２８】
制御ユニット１１０は、音響装置１００の全体を統括制御する。この制御ユニット１１０は、図２に示されるように、測定用音源データ記憶手段としても機能する音出力制御部２１０と、処理制御部２２０とを備えている。
【００２９】
音出力制御部２１０は、処理制御部２２０からの指令に従って、音出力ユニット１３０へデジタル音声データを送る。この音出力制御部２１０は、処理制御部２２０からコンテンツ音再生指令を受けるとともに、処理制御部２２０を介して記憶装置１２０から読み出された音コンテンツデータ１２１を受けると、音コンテンツデータ１２１を展開してデジタル音声データを生成する。そして、音出力制御部２１０は、展開結果であるデジタル音声データを音出力ユニット１３０へ送る。この結果、音コンテンツデータ１２１として記憶装置１２０に記憶されている音コンテンツが再生される。なお、かかる音コンテンツ再生の再生に際しては、音出力制御部２１０は、操作入力ユニット１３０に入力された出力音量の指定に従った処理制御部２２０からの音量指定指令に応じて、音出力ユニット１３０における増幅器の増幅率の設定を行うようになっている。
【００３０】
音出力制御部２１０は、内部の記憶領域に音場測定用音源データを記憶している。この音場測定用音源データは、音場測定に適切な周波数分布を有する予め定められた音に対応するデータであり、一般にホワイトノイズ音又はピンクノイズ音に対応するデータとなっている。なお、本実施形態では、音場測定用音源データとして、設計時点で定められた特定のピンクノイズ音に対応するデータを採用している。
【００３１】
音出力制御部２１０は、処理制御部２２０から音場補正指令を受けると、一定時間にわたって、音場測定用音源データに基づいて音場測定用音のデジタル音声データを生成し、音出力ユニット１３０へ送る。この結果、音出力ユニット１３０からは、音場測定用音が出力される。また、音出力制御部２１０は、音場測定用音の出力中に集音ユニット１４０からのデジタル音声データを受けて解析し、その時点の音場を算出する。こうした音場の算出結果に基づいて、最適音場を提供するために必要な音出力制御部２１０が生成するデジタル音データの周波数特性、音出力ユニット１３０における複数のスピーカのそれぞれからの出力レベル、及び、音出力制御部２１０から複数のスピーカのそれぞれへのデジタル音声データの出力タイミングの補正態様を決定する。この後の音コンテンツの再生に際しては、音出力制御部２１０は、補正後の態様で、デジタル音声データを音出力ユニット１３０へ送る。
【００３２】
また、音出力制御部２１０は、処理制御部２２０から警報音出力指令を受けると、音場測定用音源データに基づいて、音場測定用音のデジタル音声データを生成し、音出力ユニット１３０へ送る。この際には、音出力制御部２１０は、音出力ユニット１３０における増幅器の増幅率を最大に設定する。この結果、音出力ユニット１３０からは、人に不快感を与えるピンクノイズ音が最大音量で、警報音として継続的に出力される。なお、音出力制御部２１０は、警報音出力停止指令を受けると、警報音の出力を停止する。
【００３３】
上記の処理制御部２２０は、機能動作部１８０の他の要素１２０〜１７０，２１０を利用して、音響装置１００としての機能を果たすために様々な処理を行う。この処理制御部２２０は、図３に示されるように、音コンテンツ再生制御部２２１と、セキュリティ制御部２２２とを備えている。
【００３４】
音コンテンツ再生制御部２２１は、再生すべき音コンテンツの指定入力がなされたことが操作入力ユニット１６０から報告されると、音出力制御部２１０へ、指定された音コンテンツに対応する音コンテンツデータとともに音コンテンツ再生指令を送る。また、音コンテンツ再生制御部２２１は、音場を補正すべき指令入力がなされたことが操作入力ユニット１６０から報告されると、音出力制御部２１０へ音場補正指令を送る。
【００３５】
セキュリティ制御部２２２は、必要に応じて警報音を出力するセキュリティモードの設定指令入力がなされたことが操作入力ユニット１６０から報告されると、セキュリティモード動作を開始する。一方、セキュリティ制御部２２２は、セキュリティモードの解除指令入力がなされたことが操作入力ユニット１６０から報告されると、セキュリティモード動作を停止する。
【００３６】
また、セキュリティ制御部２２２は、セキュリティモード動作であり、かつ、ＡＣＣオフ状態で、異常検出センサ１７０から上述した特定操作が行われたことが報告されると、音出力制御部２１０へ警報音出力指令を送る。また、セキュリティ制御部２２２は、警報音出力中に、正しい識別情報入力が操作入力ユニット１６０から報告されると、音出力制御部２１０へ警報音出力停止指令を送る。
【００３７】
［動作］
次に、以上のように構成された音響装置１００の動作を説明する。
【００３８】
＜音コンテンツの再生＞
まず、音響装置１００による音コンテンツの再生処理について説明する。
【００３９】
表示ユニット１５０に表示された音コンテンツのメニュー表示を見る等した利用者が、操作入力ユニット１６０を操作して、音コンテンツデータ１２１に対応する音コンテンツを指定した再生指令を入力すると、その旨が制御ユニット１１０へ送られる。制御ユニット１１０では、処理制御部２２０における音コンテンツ再生制御部２２１が、当該再生指令を受ける。当該再生指令を受けた音コンテンツ再生制御部２２１は、音出力制御部２１０へ、音コンテンツデータ１２１とともに音コンテンツ再生指令を送る。
【００４０】
音コンテンツ再生指令を受けた音出力制御部２１０は、コンテンツ音再生指令を受けると、音コンテンツデータ１２１を展開してデジタル音声データを生成する。かかるデジタル音声データの生成に際して、音出力制御部２１０は、現時点で設定されているデジタル音データの周波数特性、音出力ユニット１３０における複数のスピーカのそれぞれからの出力レベル、及び、音出力制御部２１０から複数のスピーカのそれぞれへのデジタル音声データの出力タイミングの補正態様による補正を施す。こうして生成されたデジタル音声データが、音出力制御部２１０から音出力ユニット１３０へ送られる。この結果、音出力ユニット１３０からコンテンツ音が出力される。
【００４１】
＜音場の補正＞
次に、音響装置１００による車内空間における音場補正処理について説明する。
【００４２】
表示ユニット１５０に表示された処理メニュー表示を見る等した利用者が、操作入力ユニット１６０を操作して、音場を補正すべき指令を入力すると、その旨が制御ユニット１１０へ送られる。制御ユニット１１０では、処理制御部２２０における音コンテンツ再生制御部２２１が、当該補正指令を受ける。当該補正指令を受けた音コンテンツ再生制御部２２１は、音出力制御部２１０へ、音場補正指令を送る。この結果、音出力制御部２１０による音場補正処理が開始される。
【００４３】
かかる音場補正処理に際して、音出力制御部２１０は、処理制御部２２０は、図４に示されるように、ステップＳ１１において、制御ユニット１１０から音場補正指令を受信したか否かを判定する。この判定の結果が否定的であった場合（ステップＳ１１：Ｎ）には、音出力制御部２１０は、ステップＳ１１の処理を繰り返す。
【００４４】
上記のようにして、制御ユニット１１０から音出力制御部に音場補正指令が送られると、ステップＳ１１における判定の結果が肯定的（ステップＳ１１：Ｙ）となり、処理はステップＳ１２へ進む。このステップＳ１２では、音出力制御部２１０が、一定時間にわたって、音場測定用音源データに基づいて音場測定用音のデジタル音声データを生成し、音出力ユニット１３０へ送る。この結果、音出力ユニット１３０からは、当該一定時間にわたって、音場測定用音が出力される。
【００４５】
この音場測定用音の出力中には集音ユニット１４０による集音が行われ、集音結果が音出力制御装置２１０に送られる。こうした集音結果を受けると、音出力ユニット１３０は、ステップＳ１３において、集音結果を解析し、現時点において車内空間において最適な音場を実現するための音場補正パラメータ値を導出する。こうして導出される音場補正パラメータ値には、デジタル音データの周波数特性、音出力ユニット１３０における複数のスピーカのそれぞれからの出力レベル、及び、音出力制御部２１０から複数のスピーカのそれぞれへのデジタル音声データの出力タイミング等のパラメータの値が含まれている。
【００４６】
次に、ステップＳ１４において、音出力制御部２１０は、現時点における音場補正パラメータ値を、上記のステップＳ１３において導出された音場補正パラメータ値に更新する。この結果、以後のコンテンツ音の再生に際しては、更新された音場補正パラメータ値が音出力制御部２１０において適用されて、デジタル音声データの生成が行われる。
【００４７】
＜警報音の出力＞
次に、音響装置１００による警報音出力処理について説明する。
【００４８】
警報音出力処理では、図５に示されるように、まず、ステップＳ２１において、セキュリティ制御部２２２が、利用者の操作入力ユニット１６０へのセキュリティモード設定指令により、セキュリティモード設定が行われているか否かを判定する。このステップＳ２１における判定の結果が否定的であった（ステップＳ２１：Ｎ）場合には、セキュリティ制御部２２２は、ステップＳ２１の処理を繰り返す。
【００４９】
ステップＳ２１における判定の結果が肯定的であった場合（ステップＳ２１：Ｙ）には、処理はステップＳ２２へ進む。このステップＳ２２では、セキュリティ制御部２２２が、電源部１９０からのＡＣＣオン／オフ情報に基づいて、ＡＣＣオン状態であるか否かを判定する。このステップＳ２２における判定の結果が肯定的であった場合（ステップＳ２２：Ｙ）には、処理はステップＳ２１へ戻る。以後、ステップＳ２２における判定の結果が肯定的となるまで、セキュリティ制御部２２２は、ステップＳ２１及びＳ２２の処理を繰り返す。このように警報音出力に際して、ＡＣＣオン状態であるか否かを判定するのは、ＡＣＣオン状態では、車両が正規の利用者の支配下にあると推定されるので、警報音の出力の必要性がなく、かつ、正規の利用者の特定操作に伴う警報音の発生は運転の妨害になると考えられるからである。
【００５０】
ステップＳ２２における判定の結果が否定的であった場合（ステップＳ２２；Ｎ）には、処理はステップＳ２３へ進む。このステップＳ２３では、セキュリティ制御部２２２が、異常検出センサ１７０から盗難に結びつく可能性がある特定操作がなされたことが検出されたか否かを判定する。このステップＳ２３における判定の結果が否定的であった場合（ステップＳ２３：Ｎ）には、処理はステップＳ２１へ戻る。以後、ステップＳ２３における判定の結果が肯定的となるまで、セキュリティ制御部２２２は、ステップＳ２１〜Ｓ２３の処理を繰り返す。
【００５１】
ステップＳ２３における判定の結果が肯定的であった場合（ステップＳ２３：Ｙ）には、処理はステップＳ２４へ進む。このステップＳ２４では、セキュリティ制御部２２２が、音出力制御部２１０へ警報音出力指令を送る。この警報音出力指令を受けた音出力制御部２１０は、音出力ユニット１３０における増幅器の増幅率を最大に設定したうえで、音場測定用音源データに基づいて、音場測定用音のデジタル音声データを継続的に生成し、音出力ユニット１３０へ送る。この結果、音出力ユニット１３０からは、人に不快感を与えるピンクノイズ音が最大音量で、警報音として継続的に出力される。
【００５２】
かかる警報音の出力開始とともに、セキュリティ制御部２２２は、警報音出力停止指令である操作入力ユニット１６０への正規利用者の識別情報入力を待つ識別情報入力待機状態となる。こうした識別情報入力待機状態となったことは、表示ユニット１５０に表示される。
【００５３】
警報音の出力中に、操作入力ユニット１６０に識別情報に相当すると考えられる情報入力があると、入力情報が操作入力ユニット１６０からセキュリティ制御部２２２へ送られる。当該入力情報を受けると、セキュリティ制御部２２２は、ステップＳ２５において、当該入力情報と識別情報１２６とが一致するか否かを判定する。このステップＳ２５における判定の結果が否定的であった場合（ステップＳ２５：Ｎ）には、セキュリティ制御部２２２は、再度識別情報入力待機状態となる。
【００５４】
一方、ステップＳ２５における判定の結果が肯定的であった場合（ステップＳ２５：Ｙ）には、処理はステップＳ２６へ進む。このステップＳ２６では、セキュリティ制御部２２２が、音出力制御部２１０へ警報音出力停止指令を送る。この警報音出力停止指令を受けると、音出力制御部２１０は、警報音の出力を停止する。
【００５５】
こうしてステップＳ２６において警報音の出力が停止されると、処理はステップＳ２１へ戻る。以後、上記と同様にして、再度ステップＳ２１〜Ｓ２６の処理が行われる。
【００５６】
以上説明したように、本実施形態では、異常検出センサ１７０が、車内に配設された機器に対して盗難に結びつく可能性がある特定操作を検出し、セキュリティ制御部２２２に報告する。この報告を受けたセキュリティ制御部２２２は、当該特定操作が許容状況以外の状況で検出されたか否かを判定する。この判定の結果が肯定的であった場合には、セキュリティ制御部２２２は、音出力制御部２１０へ警報音出力指令を送る、そして、警報音出力指令を受けた音出力制御部２１０は、耳障りで人に不快感を与える測定用音源データに対応する音を、最大音量で、音出力ユニット１３０から出力させる。したがって、音場測定用の音源データを有し、車内の音場の測定機能を有する音響装置１００を用いて、車上あらし等による盗難を有効に防止することができる。
【００５７】
また、本実施形態では、正規利用者の誤操作に由来して警報音が出力された場合には、正規利用者の識別子入力を行うことにより、警報音出力を停止させることができる。このため、犯罪者には困難であるが正規利用者には簡易な操作で、警報音出力を停止させることができる。
【００５８】
また、本実施形態では、音響装置１００が補助バッテリを備えている。このため、主バッテリからの電力供給が停止させられた状態でも、犯罪者による特定操作が行われると警報音を出力することができる。
【００５９】
［実施形態の変形］
本発明は、上記の実施形態に限定されるものではなく、様々な変形が可能である。
【００６０】
例えば、上記の実施形態においては、音場測定用音源データとして、設計時点で定められた特定のピンクノイズ音に対応するデータを採用しているが、ホワイトノイズ音に対応するデータ等の他の種類の音場測定用音源データとして採用してもよい。
【００６１】
また、上記の実施形態においては、異常検出センサ１７０から特定操作が検出され、盗難に結びつく可能性があると判断された場合に、音出力ユニット１３０を介して警告音が出力されるのみとした。これに対し、外部への通信機器を更に備えるようにし、警告音の出力とともに、当該通信機器を介した携帯電話等の情報通信端末装置への異常発生の報知を併せて行うようにしてもよい。
【００６２】
また、上記の実施形態の説明においては、盗難に結びつく可能性のある特性操作として音響装置１００の化粧板の取り外しを例示したが、特定操作として施錠中にドアや窓を空ける操作を含めるようにすることもできる。
【００６３】
また、上記の実施形態においては、警報音の出力中には、表示ユニット１５０に識別情報入力待機状態である旨を表示するようにしたが、かかる表示を省略することもできる。この場合には、表示ユニット１５０の動作による電力消費を伴わないようにすることができる。
【００６４】
また、上記の実施形態の説明においては、不揮発性記憶ユニット１２５に記憶される識別情報としてパスワードを例示したが、当該識別情報としては、パスワード以外であっても正規利用者の操作入力であることを保証できるものであれば、他の識別情報を採用することもできる。
【００６５】
また、車両に搭載され、音響装置としても機能するナビゲーション装置等が、本実施形態の音響装置１００の機能を有するようにしてもよい。
【００６６】
また、上記の実施形態においては、車両に搭載される音響装置に本発明を適用したが、車両以外の他の移動体に搭載される音響装置にも本発明を適用することもできるし、移動体に搭載されない音響装置にも本発明を適用することもできる。
【００６７】
なお、上記の実施形態における制御ユニット１１０を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、上記の実施形態における処理を、予め用意されたプログラムを当該コンピュータで実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００６８】
【図１】本発明の一実施形態に係る音響装置の構成を概略的に示すブロック図である。
【図２】図１の制御ユニットの構成を説明するためのブロック図である。
【図３】図２の処理制御部の構成を説明するためのブロック図である。
【図４】図１の装置による音場補正処理を説明するためのフローチャートである。
【図５】図１の装置による警報音出力処理を説明するためのフローチャートである。
【符号の説明】
【００６９】
１００    …  音響装置
１１０    …  制御ユニット（制御手段）
１２５    …  不揮発性記憶ユニット（識別情報記憶手段）
１３０    …  音出力ユニット（音出力手段）
１６０    …  操作入力ユニット（操作入力手段）
１７０    …  異常検出センサ（検出手段）
１９１    …  補助バッテリ（補助電源手段）
２１０    …  音出力制御部（測定用音源データ記憶手段）
【図１】
2008046868.tif 000003
【図２】
2008046868.tif 000004
【図３】
2008046868.tif 000005
【図４】
2008046868.tif 000006
【図５】
2008046868.tif 000007